【事件の表示】
　特許第２９７７６３４号「自動原稿給送装置」の請求項１、２に係る特許に対する特許異議の申立てについて、次のとおり決定する。
【結　論】
　訂正を認める。
　特許第２９７７６３４号の請求項１に係る特許を維持する。
【理　由】
１．手続の経緯
　特許第2977634号の請求項１に係る発明は、平成３年４月２３日に特許出願され、平成１１年９月１０日にその特許権の設定登録がなされ、その後、田村忠一より特許異議の申立がなされ、取消しの理由が通知され、その指定期間内である平成１３年９月２０日に訂正請求がなされたものである。
　
２．訂正の適否についての判断
(1)訂正の内容
ア．訂正事項ａ
　請求項１の「複写機本体に着脱可能であって複写機本体の基準位置に原稿を給送する自動原稿給送装置本体と、該自動原稿給送装置本体に支持され、原稿を積載する原稿積載テーブルと、該原稿積載テーブルに設けられ、原稿の給送方向と直交する方向の原稿位置の基準となる位置基準部材と、を備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能であって、該位置基準部材の位置調整によって前記複写機本体の基準位置に原稿が給紙されるよう前記原稿位置を調整することが可能であることを特徴とする自動原稿給送装
置。」を、特許請求の範囲の減縮を目的として、
「複写機本体に着脱可能であって複写機本体の基準位置に原稿を給送する自動原稿給送装置本体と、該自動原稿給送装置本体に支持され、原稿を積載する原稿積載テーブルと、該原稿積載テーブルの側端近傍に設けられ、原稿の給送方向と直交する方向の原稿位置の基準となる位置基準部材とを備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたことを特徴とする自動原稿給送装置。」と訂正する。
　
イ．訂正事項ｂ
　請求項２を削除する。
　
ウ．訂正事項ｃ
　上記訂正事項ａ、ｂで示す特許請求の範囲の訂正に伴い、特許請求の範囲と明細書の詳細な説明の記載との整合性をとるため、
ａ）同明細書中の段落番号【０００５】の「上記課題を解決するため、請求項１記載の発明は、複写機本体に着脱可能であって複写機本体の基準位置に原稿を給送する自動原稿給送装置本体と、該自動原稿給送装置本体に支持され、原稿を積載する原稿積載テーブルと、該原稿積載テーブルに設けられ、原稿の給送方向と直交する方向の原稿位置の基準となる位置基準部材と、を備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を、自動原稿給送装置本体に対して原稿給送方向と直交する方向に移動可能であって、該位置基準部材の位置調整によって前記複写機本体の基準位置に原稿が給紙されるよう前記原稿位置を調整することが可能であることを特徴とするものであり、　請求項２記載の発明は、請求項１の構成に加え、前記位置基準部材を所定の移動位置に調整するとき、該移動位置に位置基準部材を保持する保持手段を設けたことを特徴とするものである。」を、
「上記課題を解決するため、請求項１記載の発明は、複写機本体に着脱可能であって複写機本体の基準位置に原稿を給送する自動原稿給送装置本体と、該自動原稿給送装置本体に支持され、原稿を積載する原稿積載テーブルと、該原稿積載テーブルの側端近傍に設けられ、原稿の給送方向と直交する方向の原稿位置の基準となる位置基準部材とを備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたことを特徴とするものである。」と訂正する。
ｂ）同明細書中の段落番号【０００６１の「請求項１記載の発明では、自動原稿給送装置本体が例えば複写機本体に取り付けられた場合において、原稿画像と複写画像に位置ずれが生じても、位置基準部材を自動原稿給送装置本体に対して移動させることで、原稿の給送方向と直交する方向の基準位置が複写機本体に対して移動する。したがって、自動原稿給送装置本体を複写機本体から取り外すことなく、複写機本体と自動原稿給送装置との給紙基準の位置合わせ、すなわち原稿画像と複写画像の横レジスト調整を容易にすることができる。」を、
「請求項１記載の発明では、自動原稿給送装置本体が例えば複写機本体に取り付けられた場合において、原稿画像と複写画像に位置ずれが生じても、位置基準部材を自動原稿給送装置本体に対して移動させることで、原稿の給送方向と直交する方向の基準位置が複写機本体に対して移動し、複写機本体の基準位置に原稿が給紙されるように移動位置に位置基準部材を保持することにより、原稿位置を位置決めする。したがって、自動原稿給送装置本体を複写機本体から取り外すことなく、複写機本体と自動原稿給送装置との給紙基準の位置合わせ、すなわち原稿画像と複写画像の横レジスト調整を容易にすることができる。」と訂正する。
ｃ）同明細書中の段落番号【０００７】の「請求項２記載の発明では、請求項１の作用に加え、位置基準部材が所定の移動位置に保持され、原稿が位置基準部材に強い力で突き当てられても、調整済みの原稿位置が位置基準部材により確実に位置決めされる。」を、
「また、位置基準部材が所定の移動位置に保持され、原稿が位置基準部材に強い力で突き当てられても、原稿位置が位置基準部材により確実に位置決めされる。」と訂正する。
ｄ）同明細書中の段落番号【００１４】の「請求項１記載の発明によれば、自動原稿給送装置本体が例えば複写機に取り付けられる場合、位置基準部材を移動させることで、原稿の給送方向に直交する方向の原稿位置を調整することができるので、自動原稿給送装置本体を複写機本体から取り外すことなく、複写機本体と自動原稿給送装置との給紙基準の位置合わせ、すなわち原稿画像と複写画像の横レジスト調整を容易にすることができる。したがって、容易な調整方法によって品質の良い複写画像を得ることができる。」を、
「請求項１記載の発明によれば、自動原稿給送装置本体が例えば複写機に取り付けられる場合、位置基準部材を移動させ、複写機本体の基準位置に原稿が給紙されるように移動位置に位置基準部材を保持することにより、原稿位置を位置決めすることで、原稿の給送方向に直交する方向の原稿位置を調整することができるので、自動原稿給送装置本体を複写機本体から取り外すことなく、複写機本体と自動原稿給送装置との給紙基準の位置合わせ、すなわち原稿画像と複写画像の横レジスト調整を容易にすることができる。したがって、容易な調整方法によって品質の良い複写画像を得ることができる。」と訂正する。
ｅ）同明細書中の段落番号【００１５】の「請求項２記載の発明によれば、位置基準部材を所定の移動位置に保持することができるので、例えば原稿が強い力で位置基準部材に突き当てられても、調整済みの位置基準部材の位置ずれを確実に防止することができる。」を、
「また、位置基準部材を所定の移動位置に保持することができるので、例えば原稿が強い力で位置基準部材に突き当てられても、調整済みの位置基準部材の位置ずれを確実に防止することができる。」と訂正する。
　
(2)訂正の目的の適否、新規事項の有無及び拡張・変更の存否
ア．訂正事項ａについて
　請求項１における「前記位置基準部材を自動原稿給送装置本体に対して原稿給送方向と直交する方向に移動可能であって、該位置基準部材の位置調整によって前記複写機本体の基準位置に原稿が給紙されるよう前記原稿位置を調整することが可能である」をより下位概念である「前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたこと」に限定しようとするものである。当該補正事項ａは、特許明細書における段落番号　【０００８】【０００９】【００１１】【００１２】の記載および図１、図２、図３、図４に基づくものである。
　したがって、上記訂正事項ａは、特許法第１２０条の４第２項ただし書き第１号に規定する特許請求の範囲の限縮を目的とするものである。
　また、上記訂正事項ａは、願書に添付した明細書又は図面に記載した事項の範囲内での訂正であり、実質上特許請求の範囲を拡張し又は変更するものでもない。
　
イ．訂正事項ｂについて
　訂正事項ａと同様に、特許請求の範囲の減縮を目的とするものである。
　
ウ．訂正事項ｃについて
　訂正事項ａによる訂正に伴って【発明の詳細な説明】を訂正するものであり、特許法第１２０条の４第２項ただし書き第３号に規定する明りょうでない記載の釈明を目的とするものである。
　また、上記訂正事項ｃは、願書に添付した明細書又は図面に記載した事項の範囲内での訂正であり、実質上特許請求の範囲を拡張し又は変更するものでもない。
　
(3)むすび
　したがって、上記訂正は、特許法第１２０条の４第２項及び同条第３項で準用する第１２６条第２項及び第３項の規定に適合するので、当該訂正を認める。
　
３．特許異議の申立てについての判断
(1)申立の理由の概要
　特許異議申立人　田村忠一は、請求項１及び請求項２に係る発明は、甲第１号証（実公昭６０−２５９０号公報）をもとに容易に発明をすることができたものであり、特許法第２９条第２項の規定により特許を受けることができないものであるから、特許を取り消すべきと主張している。
　
(2)本件発明
　上記２．で示したように上記訂正が認められるから、本件の請求項１に係る発明は、上記訂正請求に係る訂正明細書の特許請求の範囲の請求項１に記載された事項により特定される、次のものである。なお、請求項２は訂正により削除されている。
【請求項１】複写機本体に着脱可能であって複写機本体の基準位置に原稿を給送する自動原稿給送装置本体と、該自動原稿給送装置本体に支持され、原稿を積載する原稿積載テーブルと、該原稿積載テーブルの側端近傍に設けられ、原稿の給送方向と直交する方向の原稿位置の基準となる位置基準部材とを備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたことを特徴とする自動原稿給送装置。
　
(3)引用文献
　特許異議申立人が証拠として提出した刊行物には、以下のような発明が記載されている。
刊行物１：実公昭６０−２５９０号公報（甲第１号証）
　下記の記載ａ〜ｃに示すように、左右一対の側縁ガイド5、5’を原稿幅方向に摺動自在に備えた原稿台6を機枠7に給送直交方向に位置調整可能に取り付け、左右の側縁ガイド5，5’を移動してセンター基準で原稿をセットするものが記載されている。そして、センター基準の基準位置が指標25からずれた場合は、側縁ガイド5，5’の調整機構とは別の原稿台6の位置を調整することで位置調整を行うものである。
　
（記載ａ）「この側縁ガイド5、5’は原稿幅方向（第２図上下方向）に摺動自在に取付けてあり、両側縁ガイド5、5’は互いに反対方向に移動するように連携してある。かゝる側縁ガイド5，5’の連携方法は、・・・・・・・・・・・・、該ガイドの一方を摺動操作すれば他方もこれと反対方向に同一量連動するようになっている。」（第２頁左欄第２８〜３８行）
（記載ｂ）「尚図示の側縁ガイド5，5’は第２図に示すように原稿挿入口4の口縁に施した指標に側縁ガイド5，5’を合わせている。従ってこの指標25と原稿セット面2上の複写基準位置（図示Ｙ−Ｙ）とが食違った場合には、上記ビス22によって簡単に調整することができる。」（第２頁右欄第１４〜２０行）
（記載ｃ）「本考案は叙上の構成から成り、左右一対の側縁ガイド5、5’を備えた原稿台6を機枠7に給送直交方向に位置調整可能に取付けたものであるから、」（２頁右欄第２６〜２９行）
　
(4)対比・判断
　本件の請求項１に係る発明と上記刊行物１に記載の発明とを対比すると、刊行物１に記載された発明は、本件発明を特定する事項である「前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにした」点を備えておらず、当該事項により本件請求項１に係る発明は、センター基準のように常に基準が動くものに比べて、基準位置が経時変化によってずれてしまうのを防止することができるとともに、片側の位置基準の基準部材のみを調整することで基準を調整することができるため、自動原稿給送装置の小型化及び基準位置の調整作業の作業性を向上させることができるという効果を奏するものであり、本件の請求項１に係る発明が上記刊行物１に記載の発明から容易に発明をすることができたものとはいえない。
　
(5)むすび
　以上のとおりであるから、特許異議申立の理由及び証拠によっては、本件の請求項１に係る特許を取り消すことができない。
　また、他に請求項１に係る特許を取り消すべき理由を発見しない。
　よって、結論のとおり決定する。
【異議決定日】
平成１３年１２月２１日（２００１．１２．２１）
【訂正の要旨】
　訂正の要旨
（１）訂正の内容
ア．訂正事項ａ
　請求項１の「複写機本体に着脱可能であって複写機本体の基準位置に原稿を給送する自動原稿給送装置本体と、該自動原稿給送装置本体に支持され、原稿を積載する原稿積載テーブルと、該原稿積載テーブルに設けられ、原稿の給送方向と直交する方向の原稿位置の基準となる位置基準部材と、を備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能であって、該位置基準部材の位置調整によって前記複写機本体の基準位置に原稿が給紙されるよう前記原稿位置を調整することが可能であることを特徴とする自動原稿給送装
置。」を、特許請求の範囲の減縮を目的として、
「複写機本体に着脱可能であって複写機本体の基準位置に原稿を給送する自動原稿給送装置本体と、該自動原稿給送装置本体に支持され、原稿を積載する原稿積載テーブルと、該原稿積載テーブルの側端近傍に設けられ、原稿の給送方向と直交する方向の原稿位置の基準となる位置基準部材とを備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたことを特徴とする自動原稿給送装置。」と訂正する。
イ．訂正事項ｂ
　請求項２を削除する。
ウ．訂正事項ｃ
　上記訂正事項ａ、ｂで示す特許請求の範囲の訂正に伴い、特許請求の範囲と明細書の詳細な説明の記載との整合性をとるため、明りょうでない記載の釈明を目的として、
ａ）同明細書中の段落番号【０００５】の「上記課題を解決するため、請求項１記載の発明は、複写機本体に着脱可能であって複写機本体の基準位置に原稿を給送する自動原稿給送装置本体と、該自動原稿給送装置本体に支持され、原稿を積載する原稿積載テ」ブルと、該原稿積載テーブルに設けられ、原稿の給送方向と直交する方向の原稿位置の基準となる位置基準部材と、を備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を、自動原稿給送装置本体に対して原稿給送方向と直交する方向に移動可能であって、該位置基準部材の位置調整によって前記複写機本体の基準位置に原稿が給紙されるよう前記原稿位置を調整することが可能であることを特徴とするものであり、　請求項２記載の発明は、請求項１の構成に加え、前記位置基準部材を所定の移動位置に調整するとき、該移動位置に位置基準部材を保持する保持手段を設けたことを特徴とするものである。」を、
「上記課題を解決するため、請求項１記載の発明は、複写機本体に着脱可能であって複写機本体の基準位置に原稿を給送する自動原稿給送装置本体と、該自動原稿給送装置本体に支持され、原稿を積載する原稿積載テーブルと、該原稿積載テーブルの側端近傍に設けられ、原稿の給送方向と直交する方向の原稿位置の基準となる位置基準部材とを備え、前記原稿が位置基準部材に突き当たるように原稿積載テーブル上に積載され、原稿の給送方向と直交する方向の原稿位置が位置基準部材により位置決めされる自動原稿給送装置において、前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位置基準部材を保持することにより、原稿位置を位置決めするようにしたことを特徴とするものである。」と訂正する。
ｂ）同明細書中の段落番号【０００６１の「請求項１記載の発明では、自動原稿給送装置本体が例えば複写機本体に取り付けられた場合において、原稿画像と複写画像に位置ずれが生じても、位置基準部材を自動原稿給送装置本体に対して移動させることで、原稿の給送方向と直交する方向の基準位置が複写機本体に対して移動する。したがって、自動原稿給送装置本体を複写機本体から取り外すことなく、複写機本体と自動原稿給送装置との給紙基準の位置合わせ、すなわち原稿画像と複写画像の横レジスト調整を容易にすることができる。」を、
「請求項１記載の発明では、自動原稿給送装置本体が例えば複写機本体に取り付けられた場合において、原稿画像と複写画像に位置ずれが生じても、位置基準部材を自動原稿給送装置本体に対して移動させることで、原稿の給送方向と直交する方向の基準位置が複写機本体に対して移動し、複写機本体の基準位置に原稿が給紙されるように移動位置に位置基準部材を保持することにより、原稿位置を位置決めする。したがって、自動原稿給送装置本体を複写機本体から取り外すことなく、複写機本体と自動原稿給送装置との給紙基準の位置合わせ、すなわち原稿画像と複写画像の横レジスト調整を容易にすることができる。」と訂正する。
ｃ）同明細書中の段落番号【０００７】の「請求項２記載の発明では、請求項１の作用に加え、位置基準部材が所定の移動位置に保持され、原稿が位置基準部材に強い力で突き当てられても、調整済みの原稿位置が位置基準部材により確実に位置決めされる。」を、
「また、位置基準部材が所定の移動位置に保持され、原稿が位置基準部材に強い力で突き当てられても、原稿位置が位置基準部材により確実に位置決めされる。」と訂正する。
ｄ）同明細書中の段落番号【００１４】の「請求項１記載の発明によれば、自動原稿給送装置本体が例えば複写機に取り付けられる場合、位置基準部材を移動させることで、原稿の給送方向に直交する方向の原稿位置を調整することができるので、自動原稿給送装置本体を複写機本体から取り外すことなく、複写機本体と自動原稿給送装置との給紙基準の位置合わせ、すなわち原稿画像と複写画像の横レジスト調整を容易にすることができる。したがって、容易な調整方法によって品質の良い複写画像を得ることができる。」を、
「請求項１記載の発明によれば、自動原稿給送装置本体が例えば複写機に取り付けられる場合、位置基準部材を移動させ、複写機本体の基準位置に原稿が給紙されるように移動位置に位置基準部材を保持することにより、原稿位置を位置決めすることで、原稿の給送方向に直交する方向の原稿位置を調整することができるので、自動原稿給送装置本体を複写機本体から取り外すことなく、複写機本体と自動原稿給送装置との給紙基準の位置合わせ、すなわち原稿画像と複写画像の横レジスト調整を容易にすることができる。したがって、容易な調整方法によって品質の良い複写画像を得ることができる。」と訂正する。
ｅ）同明細書中の段落番号【００１５】の「請求項２記載の発明によれば、位置基準部材を所定の移動位置に保持することができるので、例えば原稿が強い力で位置基準部材に突き当てられても、調整済みの位置基準部材の位置ずれを確実に防止することができる。」を、
「また、位置基準部材を所定の移動位置に保持することができるので、例えば原稿が強い力で位置基準部材に突き当てられても、調整済みの位置基準部材の位置ずれを確実に防止することができる。」と訂正する。
（５４）【発明の名称】
自動原稿給送装置
（５７）【特許請求の範囲】
　【請求項１】
　複写機本体に着脱可能であって複写機本体の基準位置に原稿を給送する自動原稿給送装置本体と、
　該自動原稿給送装置本体に支持され、原稿を積載する原稿積載テーブルと、
　該原稿積載テーブル
の側端近傍に
とを
前記原稿が位置基準部材に突き当たるように原稿積載テーブル上に積載され、原稿の給送方向と直交する方向の原稿位置が位置基準部材により位置決めされる自動原稿給送装置において、
　
前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、
　
複写機本体の基準位置に原稿が給紙されるように前記移動位置に前記位置基準部材を保持することにより、原稿位置を位置決めするようにしたことを
【発明の詳細な説明】
　【０００１】
　【産業上の利用分野】
　本発明は、自動原稿給送装置に係り、例えば複写機に用いられる自動原稿給送装置に関する。
　【０００２】
　【従来の技術】
　近年、複写機には児童原稿給装装置が取り付けられるようになってきている。このような複写機においては、複写機本体と自動原稿給送装置との基準位置合せ、すなわち、原稿画像と複写画像の横レジストの調整は、自動原稿給送装置を複写機本体に取り付ける際の両者の相対位置の調整によりなされる。詳しくは、図５に示すように、自動原稿給送装置１は支持板２を介して複写機本体３に取り付けられるようになっており、支持板２には取り付け用のねじ穴２ａ、２ｂがそれぞれ複数形成されている。各ねじ穴２ｂは原稿の給送方向に直交する図５の矢印Ａ方向にずれている。したがって、自動原稿給送装置１と複写機本体３との基準位置が合うように、適正なねじ穴２ｂを選択して自動原稿給送装置１を複写機本体３に取り付けることにより、基準位置合せをすることができる。また、自動原稿給送装置１の原稿積載テーブルには位置基準部材（何れも図示しない）が固定されており、原稿をこの位置基準部材に突き当てることにより図５の矢印Ａ方向の原稿位置が位置決めされるようになっている。
　【０００３】
　【発明が解決しようとする課題】
　しかしながら、従来の自動原稿給送装置にあっては、自動原稿給送装置１を複写機本体３に取り付ける際に、原稿画像と複写画像との横レジストの調整をしていたため、自動原稿給送装置１の取り付け後、原稿画像と複写画像とにずれが生じた場合、自動原稿給送装置１を一旦取り外し、位置ずれを直して再度取り付ける必要があり、非常に手間がかかるといった問題点があった。
　【０００４】
　そこで、本発明は、原稿画像と複写画像の位置ずれ（横レジスト）調整を容易にすることを課題としている。
　【０００５】
　【課題を解決するための手段】
　上記課題を解決するため、請求項１記載の発明は、複写機本体に着脱可能であって複写機本体の基準位置に原稿を給送する自動原稿給送装置本体と、該自動原稿給送装置本体に支持され、原稿を積載する原稿積載テーブルと、該原稿積載テーブル
の側端近傍に
とを
前記位置基準部材を自動原稿給送装置本体に対して原稿給送方向と直交する方向に移動可能にするとともに、前記位置基準部材を所定の移動位置に調整したときに該移動位置に位置基準部材を保持する保持手段を設け、複写機本体の基準位置に原稿が給紙されるように前記移動位置に前記位基準部材を保持することにより、原稿位置を位置決めするようにしたことを
　【０００６】
　【作用】
　請求項１記載の発明では、自動原稿給送装置本体が例えば複写機本体に取り付けられた場合において、原稿画像と複写画像に位置ずれが生じても、位置基準部材を自動原稿給送装置本体に対して移動させることで、原稿の給送方向と直交する方向の基準位置が複写機本体に対して移動し、
複写機本体の基準位置に原稿が給紙されるように移動位置に位置基準部材を保持することにより、原稿位置を位置決めする。
　したがって、自動原稿給送装置本体を複写機本体から取り外すことなく、複写機本体と自動原稿給送装置との給紙基準の位置合わせ、すなわち原稿画像と複写画像の横レジスト調整を容易にすることができる。
　【０００７】
　
また、
　【０００８】
　【実施例】
　以下、本発明を図面に基づいて説明する。図１、２は本発明に係る自動原稿給送装置の第１実施例を示す図である。まず、構成を説明する。図１、図２において、１１は給送装置本体（自動原稿給送装置本体）であり、給送装置本体１１には原稿積載テーブル１２が支持されている。原稿積載テーブル１２は図示しない原稿を積載するものであり、原稿積載テーブル１２の片方の側端近傍には位置基準部材１３が設けられている。位置基準部材１３は原稿の給送方向と直交する図１、図２の矢印Ｂ方向の原稿位置の基準となるものであり、原稿が位置基準部材１３に突き当たるように原稿積載テーブル１２上に積載され、図１、図２の矢印Ｂ方向の原稿位置が位置基準部材１３により位置決めされるようになっている。なお、１４はサイドガイドであり、サイドガイド１４は位置基準部材１３の反対側で図１の矢印Ｂ方向にスライド可能に設けられている。したがって、サイドガイド１４は、位置基準部材１３に突き当てた原稿のサイズに応じた位置にスライドさせることにより、位置基準部材１３の反対側の原稿の側端をガイドするものである。
　【０００９】
　ここで、位置基準部材１３は、原稿積載テーブル１２に対して、すなわち、給送装置本体１１に対して図１、図２の矢印Ｂ方向に移動可能に設けられている。詳しくは、原稿積載テーブル１２には矢印Ｂ方向に位置ずれした複数の取り付け穴１２ａが形成されており、また位置基準部材１３にも複数の取り付け穴１３ａが形成されている。位置基準部材１３は、何れかの取り付け穴１２ａ、１３ａを互いに一致させて例えばねじ１５により、原稿積載テーブル１２に対して固定されるようになっている。したがって、どの取り付け穴１２ａを選択するかにより、位置基準部材１３は原稿積載テーブル１２に対して図１、図２の矢印Ｂ方向の移動位置が決る。また取り付け穴１２ａ、１３ａおよびねじ１５は、本願の保持手段を構成するものであり、位置基準部材１３が所定の移動位置に位置するとき、該移動位置に位置基準部材１３を保持する。上記のように本実施例では、位置基準部材１３は、基準位置とその前後の３段階の調整が可能である。
　【００１０】
　上述の構成によれば、給送装置本体１１が例えば図示しない複写機本体に取り付けられた場合において、原稿画像と複写画像に位置ずれが生じても、位置基準部材１３を給送装置本体１１に対して移動させることで、原稿の給送方向と直交する方向の原稿位置を複写機本体に対して移動させることができる。したがって、給送装置本体１１を複写機本体から取り外すことなく、位置基準部材１３の給送装置本体１１に対する位置、すなわち、複写機本体に対する位置を変更することができ、原稿画像と複写画像との横レジスト調整を容易にすることができる。したがって、容易な調整方法によって品質の良い複写画像を得ることができる。また、位置基準部材１３を給送装置本体１１に対して各移動位置で保持することができるので、例えば原稿が位置基準部材１３に強い力で突き当てられても、調整済みの原稿位置の位置ずれを確実に防止することができる。
　【００１１】
　図３、図４は本発明に係る自動原稿給送装置の第２実施例を示す図である。なお、本実施例においても、給送装置本体およびサイドガイドを備えているが、これらは図１、図２に示した給送装置本体１１、およびサイドガイド１４と同一構成であるため、図示は省略する。図３、図４において、原稿積載テーブル２２は図示しない給送装置本体に支持されている。原稿積載テーブル２２は図示しない原稿を積載するものであり、原稿積載テーブル２２の片方の側端近傍には位置基準部材２３が設けられている。位置基準部材２３は原稿の給送方向と直交する図３の矢印Ｄ方向の原稿位置の基準となるものであり、原稿が位置基準部材２３に突き当たるように原稿積載テーブル２２上に積載され、図３の矢印Ｄ方向の原稿位置が位置基準部材２３により位置決めされるようになっている。
　【００１２】
　ここで、位置基準部材２３は、原稿積載テーブル２２に対して、すなわち、給送装置本体に対して図３の矢印Ｄ方向に移動可能に設けられている。詳しくは、位置基準部材２３は平面部２３ａおよび位置決め部２３ｂを有しており、平面部２３ａの裏面側にはＬ型形状の引掛部２３ｃが形成されている。引掛部２３ｃは原稿積載テーブル２２に形成された取り付け穴２２ａに差込まれて引掛かるようになっており、取り付け穴２２ａは図３の矢印Ｄ方向に延在する長穴である。引掛部２３ｃを取り付け穴２２ａに引掛けた状態で、位置基準部材１３は図示しない取り付けねじにより原稿テーブル２２に固定されるようになっている。取り付け穴２２ａは長穴であるため、引掛部２３ｃを図３の矢印Ｄ方向に移動させた所定位置で取り付け穴２２ａに引掛けることができるので、位置基準部材２３は原稿積載テーブル２２に対して図３の矢印Ｄ方向に移動可能である。また、図示しない取り付けねじは、本願の保持手段を構成する。さらに、引掛部２３ｃを取り付け穴２２ａに引掛けることにより、位置基準部材２３の平面部２３ａは原稿積載テーブル２２に隙間なく密着するようになっている。
　【００１３】
　上述の構成によれば、前述と同様の効果を得ることができるのは勿論、さらに、引掛部２３ｃを取り付け穴２２ａに引掛けることにより、位置基準部材２３の平面部２３ａを原稿積載テーブル２２に隙間なく密着させることができるので、隙間により美観を損ねるといった不具合を防止し、また原稿両端部で湾曲して搬送性能に影響するのを防止することができる。
　【００１４】
　【発明の効果】
　請求項１記載の発明によれば、自動原稿給送装置本体が例えば複写機に取り付けられる場合、位置基準部材を移動させ、
複写機本体の基準位置に原稿が給紙されるように移動位置に位置基準部材を保持することにより、原稿位置を位置決めする
　【００１５】
　
また、
【図面の簡単な説明】
　【図１】
　本発明に係る自動原稿給送装置の第１実施例を示すその斜視図。
　【図２】
　図１に示される位置基準部材の取り付け方法を説明するための斜視図。
　【図３】
　本発明に係る自動原稿給送装置の第２実施例を示すその要部斜視図。
　【図４】
　図３におけるＹ−Ｙ矢視断面図。
　【図５】
　従来の自動原稿給送装置の複写機本体に対する取り付け方法を説明するための斜視図。
　【符号の説明】
１１　　装置本体
１２、２２　　原稿積載テーブル
１３、２３　　位置基準部材
１２ａ　　取り付け穴（保持手段）
１３ａ　　取り付け穴（保持手段）
１５　　ねじ（保持手段）